(57)【要約】【課題】尿漏れ対策生地とこの尿漏れ対策生地を用いて製作されたオムツ等の下着において、装着者が寝返り等をしたときでも尿漏れを防止できるようにする。【解決手段】表生地１１、保水層１２、吸水拡散層１３、防水生地１４がこの順番で設けられている尿漏れ対策生地１０により、オムツ等の下着を製作した。【選択図】図１
2005111181.tif 000002
【特許請求の範囲】
【請求項１】
表生地（１１）、保水層（１２）、吸水拡散層（１３）、防水生地（１４）がこの順番で設けられていることを特徴とする尿漏れ対策生地。
【請求項２】
前記表生地（１１）と保水層（１２）との間にも吸水拡散層（１５）が設けられておりこれによって保水層（１２）がその表裏両面を吸水拡散層（１３，１５）で挟まれたサンドイッチ構造になっていることを特徴とする請求項１記載の尿漏れ対策生地。
【請求項３】
前記表生地（１１）は、保水層（１２）とは反対側に設けられた疎水性層（２０）と保水層（１２）側に設けられた親水性層（２１）とを有していることを特徴とする請求項１又は請求項２記載の尿漏れ対策生地。
【請求項４】
前記保水層（１２）と防水生地（１４）との間に設けられる吸水拡散層（１３）が複数層分の重合構造とされていることを特徴とする請求項２又は請求項３記載の尿漏れ対策生地。
【請求項５】
前記保水層（１２）は、ポリエステルとレーヨンと低融点ファイバーとを混合してニードルパンチしたものに低融点ファイバーの融点以上の加熱を施すことで製作した不織布により形成されていることを特徴とする請求項１乃至請求項４のいずれかに記載の尿漏れ対策生地。
【請求項６】
前記吸水拡散層（１３）（１５）は、太番手の単繊維が集積された繊維素材と細番手の単繊維が集積された繊維素材とを交編することによって形成されていることを特徴とする請求項１乃至請求項５のいずれかに記載の尿漏れ対策生地。
【請求項７】
下半身に対して肌面に直接当接させて装着する下着において、尿漏れが起こる部分を中心として請求項１乃至請求項６のいずれかに記載の尿漏れ対策生地（１０）が表生地（１１）を肌側へ向け防水生地（１４）を外側へ向けて設けられていることを特徴とする下着。
【発明の詳細な説明】
【技術分野】
【０００１】
本発明は、尿漏れ対策生地とこの尿漏れ対策生地を用いて製作されたオムツ等の下着とに関する。
【背景技術】
【０００２】
成人用オムツやオムツ機能付きパンツなどの下着に対しては、尿漏れしないこと、長時間の装着が可能な（蒸れを起こさない）こと、装着感がやさしい（ゴワツキがなく動きやすい）こと、といった種々の要求がされるようになってきた。場合によっては、繰り返して洗濯できることの要求もされることがある。
従来、この種の下着として、表層と吸水層と防水層との三層構造になった生地を身生地の内側に取り付けたもの（特許文献１参照）が知られている（以下、「第１従来下着」と言う）。表層は尿を速やかに吸収層へ吸収するためのもので、メッシュ編地等より成る。吸収層は表層から吸収された尿を保持するためのもので、ポリエステル等の短繊維を含む布帛より成る。防水層は吸収層に吸収された尿を外部へ漏らさないためのもので、合成繊維布帛にラミネートして成る。なお、この防水層の外側に身生地が設けられることになるので、この部分では全体として四層構造であるということもできる。
【０００３】
また従来の別の下着として、表面吸水層と間隙保持層と保水層と防水透湿層の四層構造になった生地で身生地の要所を形成させたもの（特許文献２参照）が知られている（以下、「第２従来下着」と言う）。表面吸水層は尿を素早く吸収して肌面に湿った感じを残さないようにするためのもので、ポリエステル繊維製の布帛等より成る。間隙保持層は表面吸収層からの尿をすばやく保水層へ導きながらも、これら表面吸収層と保水層とを接触させずに一定間隔に保ち、これで尿の逆戻りを防止するためのものである。またヘタリ防止にもなっている。この間隙保持層はポリエステル１００％の表地組織と裏地組織とをナイロン製縦糸で連結させて成る。保水層は尿をすばやく吸収し且つ一旦吸収した尿を内部に保持して逃さないためのもので、不織布より成る。防水透湿層は、尿は遮断するが湿気は通すようにするためのもので、ポリウレタン製フィルムより成る。
【特許文献１】特開平１０−１１３３５８号公報
【特許文献２】特開２０００−５２０８号公報
【発明の開示】
【発明が解決しようとする課題】
【０００４】
上記した第１従来下着において、尿を吸収保持する吸収層の外側に直接、防水層が設けられ、この防水層によって吸収層に吸収された尿を外部へ漏らさないようにしている。一方、上記した第２従来下着においても、尿を吸収保持する保水層の外側に直接、防水透湿層が設けられ、この防水透湿層によって保水層に吸収された尿を外部へ漏らさないようにしている。これらのことから、これら第１従来下着も第２従来下着も、それぞれ各部名称は異なるものの作用面から見た層構造は同じであると言える。
ところが、このような層構造であると、吸収層や保水層で尿を吸水保持することはできても、下着の装着者が寝返り等によって身体の側面を下にするように横を向いたときに、吸収層と防水層との界面（第１従来下着）、保水層と防水透湿層との界面（第２従来下着）に沿うようにしつつ尿の流れが生じ、結果、大腿の付け根まわりと下着との間等から尿漏れを起こしてしまうということがあった。
【０００５】
本発明は、上記事情に鑑みてなされたものであって、尿漏れ対策生地とこの尿漏れ対策生地を用いて製作されたオムツ等の下着において、装着者が寝返り等をしたときでも尿漏れを防止できるようにした尿漏れ対策生地及び下着を提供することを目的とする。また本発明は、尿漏れしないこと、長時間の装着が可能な（蒸れを起こさない）こと、装着感がやさしい（ゴワツキがなく動きやすい）こと、繰り返して洗濯できること、といった種々の要求について、いずれの面でも満足のいく成果が平均して得られるようにした尿漏れ対策生地及び下着を提供することを目的とする。
【課題を解決するための手段】
【０００６】
前記目的を達成するために、本発明は次の手段を講じた。
即ち、本発明に係る尿漏れ対策生地１０は、表生地１１、保水層１２、吸水拡散層１３、防水生地１４がこの順番で設けられたものである。
このような構成であると、表生地１１を肌側へ向け防水生地１４を外側へ向けるように使用したときに、尿などの水分（以下、単に「尿等」と言う）は、まず表生地１１、保水層１２、吸水拡散層１３を通過して防水生地１４へと到達し、この防水生地１４からそれと吸水拡散層１３との界面を介して広がりつつ、吸水拡散層１３へ吸い上げられ、この吸水拡散層１３の層中でも面方向に広がり、そしてその広げられた広い面積で保水層１２へと吸収され、この保水層１２の層中でも拡散されていくことになる。このようにして、吸水拡散層１３及び保水層１２内で多量分の尿等が保水されるので、吸水拡散層１３と防水生地１４との界面で多量の尿等（尿漏れするほどの尿）が滞留するといったことがない。従って、たとえ装着者が寝返り等をしたときでも、尿漏れを防止できる。
【０００７】
表生地１１と保水層１２との間にも吸水拡散層１５を設けるのが好適である。すなわち、このようにすることで保水層１２がその表裏両面を吸水拡散層１３，１５で挟まれたサンドイッチ構造になる。
このサンドイッチ構造にすると、保水層１２へ吸収され尿等が、この保水層１２から更に表生地１１側の吸水拡散層１５へも吸収され、また拡散されることになる。そのため、この吸水拡散層１５に吸収され保水される尿量の相当分が全体量から軽減され、尿漏れの一層の防止効果が図られることになる。同時に、この尿漏れ対策生地１０の全体としての尿吸収容量（性能）が高められる効果もある。
【０００８】
表生地１１は、保水層１２とは反対側に設けられた疎水性層２０と、保水層１２側に設けられた親水性層２１とを有したものとするのが好適である。
このような表生地１１であれば、疎水性層２０が肌側に接するようになり、一旦吸収保持した尿等で肌に濡れ感を与えるといったことを防止できるようになる。従って快適な装着感が得られるものとなる。
保水層１２と防水生地１４との間に設けられる吸水拡散層１３は、必用に応じて複数層分の重合構造とすることも可能である。
【０００９】
保水層１２は、ポリエステルとレーヨンと低融点ファイバーとを混合してニードルパンチしたものに低融点ファイバーの融点以上の加熱を施すことで製作した不織布により形成されているものとすればよい。
このような保水層１２では、ニードルパンチによって糸相互が絡み構造にされた後、この絡み構造が低融点ファイバーの加熱融着により固定保持されるものとなるので、洗濯を繰り返しても上記絡み構造が解消されてしまうということがなく、結果、ヘタリや毛羽立ち等を起こすことがなく、耐久性が高まる。
【００１０】
また、このように保水層１２を不織布によって形成することは、この保水層１２を後述するような吸水拡散層１３等と同様な材質で形成する場合に比べ、大幅に低コスト化できることに繋がり、これによって商品価格の低廉化が図れるという利点になる。
吸水拡散層１３，１５は、太番手の単繊維が集積された繊維素材と細番手の単繊維が集積された繊維素材とを交編することによって形成されているものとすればよい。これにより、一旦吸収した尿等に対し、拡散性に優れたものとできる。
一方、本発明に係る下着１は、下半身に対して肌面に直接当接させて装着するもの（例えばオムツやオムツ機能付きパンツなど）であって、尿漏れが起こる部分を中心として本発明に係る尿漏れ対策生地１０が設けられているものである。この場合、尿漏れ対策生地１０は、表生地１１を肌側へ向け、防水生地１４を外側へ向けた状態とされる。
【発明の効果】
【００１１】
本発明に係る尿漏れ対策生地及び下着では、尿漏れ対策生地とこの尿漏れ対策生地を用いて製作されたオムツ等の下着において、装着者が寝返り等をしたときでも尿漏れを防止できるようになっている。またこの尿漏れ対策生地及び下着では、尿漏れしないこと、長時間の装着が可能な（蒸れを起こさない）こと、装着感がやさしい（ゴワツキがなく動きやすい）こと、繰り返して洗濯できること、といった種々の要求について、いずれの面でも満足のいく成果が平均して得られるものとなっている。
【発明を実施するための最良の形態】
【００１２】
以下、本発明の実施の形態を、図面に基づき説明する。
図４は本発明に係る下着１の一実施形態を示している。この第１実施形態の下着１は、繰り返し洗濯して使用できるオムツに適用した例である。この下着１は、オムツであることから下半身（股間）の後部から前部へわたる部分の覆い隠しができるような形状の本体部２を有しており、この本体部２の左右両側には横漏れ防止用ダム部３が設けられ、また後部側には滲みだしストッパー用の撥水部４が設けられたものとなっている。また全周を取り囲むように、縁取りテープ５が設けられている。
【００１３】
この下着１は、尿漏れが起こる部分を中心として本発明に係る尿漏れ対策生地１０が用いられている。具体的には、撥水部４及び縁取りテープ５を除く、本体部２と左右のダム部３とを含めた略全体がこの尿漏れ対策生地１０で形成されている。
図１乃至図３は、本発明に係る尿漏れ対策生地１０の第１実施形態を示している。この尿漏れ対策生地１０は、表生地１１、保水層１２、吸水拡散層１３、防水生地１４がこの順番で重ね合わされたものである。表生地１１が、下着１として使用するうえでの肌側へ向くようになされ、防水生地１４が外側へ向くようになされている。また、表生地１１と保水層１２との間にも、吸水拡散層１５が設けられている。これら表生地１１、吸水拡散層１５、保水層１２、吸水拡散層１３、防水生地１４は、互いに重ね合わされた状態で、それらの外周部が縫い合わされ、一体化されている。この縫い合わせに用いられた縫い糸には、撥水加工を施されたものが用いられている。
【００１４】
表生地１１は肌と接する面をサラッとした状態に保ちつつ濡れ戻りを防止する。このような表生地１１は、保水層１２とは反対側（即ち、肌へ接触する側）に設けられた疎水性層２０と、保水層１２側に設けられた親水性層２１とを有した構造となっている。
これら疎水性層２０と親水性層２１とは、尿等に対する馴染み（導水性）の程度が異なるものとされる。すなわち、疎水性層２０よりも親水性層２１の方が尿等との馴染みが良好となっている。これら疎水性層２０及び親水性層２１は基本的な素材は同じとすることができる。例えば、疎水性層２０は断面形状が定形（円形などの通常の形状）のポリエステル糸を用いるものとし、また親水性層２１は断面形状が異型（例えば扁平形、楕円形、星形、Ｌ字型等の要するに定形以外）のポリエステル糸を用いるものとして、これらを表裏に振り分ける（糸を変える）かたちで交編させるようにすればよい。
【００１５】
なお、疎水性層２０にはポリプロピレンやフッ素系の糸に置換可能であり、また親水性層２１には綿やレーヨン、ウール等の糸に置換可能である。
保水層１２は尿等を吸収し保水する。この保水層１２には不織布を用いることができる。この不織布は、ポリエステルとレーヨンとを等配分で混合し更に低融点ファイバーを加えた状態のものを素材として、この素材をニードルパンチによって糸相互に絡み構造を持たせつつ整形し、そのうえで低融点ファイバーの融点以上の加熱を施したものとされている。この加熱により、糸相互の絡み構造が、融けた低融点ファイバーで固着されるものとなる。そのため、洗濯を繰り返しても糸相互の絡み構造が解消されてしまうことがなく、結果として、この保水層１２自体はもとより尿漏れ対策生地１０（下着１）全体に、ヘタリや毛羽立ち等が起こらないものとなる。
【００１６】
保水層１２と防水生地１４との間に設けられる吸水拡散層１３と、表生地１１と保水層１２との間に設けられる吸水拡散層１５とは、互いに同じ作用を奏するもので、尿等を速やかに吸収すると共に、この吸収した尿等を面方向に沿って迅速に拡散させる。従って、これら吸水拡散層１３，１５は材質的にも同じものとすることができる。
これら吸水拡散層１３，１５には、太番手の単繊維が集積された繊維素材と細番手の単繊維が集積された繊維素材とを交編することによって形成されたニットを用いることができる。太番手の単繊維が集積された繊維素材及び細番手の単繊維が集積された繊維素材についての意味は、材質及び１本の糸の太さは同じであるが、材料となるファイバーの太さが大幅に異なるものを指したものである。例えば１６７デシテックス１４４Ｆのポリエステル糸と、１６７デシテックス４８Ｆのポリエステル糸とを用いるといった具合である。
【００１７】
防水生地１４は尿等を外側へ漏洩させないようにする。この防水生地１４には、耐熱ウレタンフィルムをラミネートしたポリエステルニット生地を用いることができる。ポリエステル糸は７５ｄ／３６Ｆとすればよい。耐熱ポリウレタンフィルムを使用していることで、リネン業者側で洗濯乾燥する際の高温度処理にも耐えられることになる。
このような構成とされた下着１の使用状態において、まず注目しなければならないことは、尿が表生地１１に対して局部的に集中し、しかも一時に大量に落とされる点にある。すなわち、このような状況で尿が表生地１１の一部に落とされることから、図２に示すように、尿はまず表生地１１、吸水拡散層１５、保水層１２、吸水拡散層１３を略素通りに近い状態で通過して防水生地１４へと到達する。
【００１８】
このようにして防水生地１４に達した尿等のうち、幾らかは、この防水生地１４と吸水拡散層１３との界面を介して面方向へ広がり、この広げられた面積全体で一気に吸水拡散層１３へと吸い上げられる。また、その他の大半の尿等は、この吸水拡散層１３の層中で更に面方向に拡散され、見る見るうちにこの吸水拡散層１３の略全域に行き渡る。そして図３に示すようにこの吸水拡散層１３から保水層１２へ向けてどんどん吸収される。
このことからも判るように、保水層１３に対し尿等は、もともと広面積で吸収されてゆくが、その後もこの保水層１３の層中でも面方向及び肉厚方向の全域へと浸透していく。かくして、この保水層１３の略全域に広がるように吸収され保水された尿等は、次に表生地１１寄りの吸収拡散層１５に対しても、広面積で吸収されてゆくことになる。従って、この吸収拡散層１５の略全域に対しても尿等が速やかに拡散され、保水されるようになる。
【００１９】
このようにして、保水層１２を中心に、これの表裏をサンドイッチ状態に挟んだ吸水拡散層１３，１５の各層（三層）全域内で多量分の尿等が保水される。例えば、この下着１では、一般に成人の１回の排尿量とされる３００〜３５０ｃｃ程度の保水量を持たせることは簡単にできる。従って、従来の下着とは異なり、吸水拡散層１３と防水生地１４との界面で多量の尿等（尿漏れするほどの尿）が滞留するといったことがない。そのため、たとえ装着者が寝返り等をしたときでも、尿漏れを防止できる。
また保水層１２と表生地１１との間の吸水拡散層１５が保水していることで、この吸水拡散層１５による保水量に比例して表生地１１へ向けた尿等の戻りはその分、軽減されることになり、しかもこの保水層１２自体、疎水性層２０及び親水性層２１を有したのもであることから、表生地１１の表面をサラッとした状態に保てることになる。そのため、この下着１の装着者に対して濡れ感や不快感を与えることがなく、また実質的に、肌を長時間の湿り状態から保護して炎症などの発生を防止できることになる。
【００２０】
この下着１では上記したような装着感の快適さに加え、防水生地１４が耐熱ポリウレタンフィルムの使用でリネン業者側での洗濯乾燥（高温度処理）が可能になっており、また保水層１２が低融点ファイバーによる熱セットを受けた不織布であることから繰り返しの洗濯にもヘタリや毛羽立ち等の起こらないものとなっており、更に拡散性に優れた吸水拡散層１３や１５を使用している関係から洗濯後の乾燥が速いものになっている、といったように、種々様々な面でも十分満足し得る成果が平均して得られる。
なお、洗濯の繰り返し数に関しては、従来のオムツ（熱セットを施していない不織布を用いたもの）では５〜８回程度の洗濯で大幅なヘタリが起こり使用不要になるのに対し、本発明に係る下着１では１００回の洗濯後にも十分使用に耐えるものであることが実験によって確認されている。
【００２１】
図５は、本発明に係る尿漏れ対策生地１０の第２実施形態を示したもので、この第２実施形態の尿漏れ対策生地１０では、保水層１２と防水生地１４との間に設けられる吸水拡散層１３が、複数層分の重合構造（図例では二重構造としてある）となっている。
このような第２実施形態の尿漏れ対策生地１０によって製作した下着１では、５００ｃｃ程度の保水量を持たせることが簡単にできる。従って、一般に成人の１回の排尿量とされる３００〜３５０ｃｃ程度の保水量を大幅に上回る保水能力があることになり、例えば夜間用、旅行用などとして活用できる。
【００２２】
ところで、本発明は、上記した実施形態に限定されるものではなく、実施の形態に応じて適宜変更可能である。
例えば、本発明に係る尿漏れ対策生地１０は、オムツやオムツ機能付きパンツなどの下着１として形成させる他、パッド形体に形成させておいて布製のオムツ、或いは通常の下着と身体との間に挟むような使い方をするものとしてもよい。また、これら尿漏れ対策生地１０や下着１として成人用であることが限定されるものではなく、幼児用やペット用等としてもよい。
【実施例】
【００２３】
保水層１２に対しその外側に吸水拡散層１３を設けるという層構造、並びに吸水拡散層１５、保水層１２、吸水拡散層１３というサンドイッチ構造のもつ有用性を確認する試験を実施した。図６は使用した供試片［Ａ］〜［Ｄ］を示したものであり、図７は試験結果を示したものである。
図６において、［Ａ］の供試片は不織布単独（即ち、保水層１２だけの場合に相当）であり、［Ｂ］の供試片は不織布の上に布を被せたもの（即ち、保水層１２とその肌側の吸水拡散層１５とだけの場合に相当）であり、［Ｃ］の供試片は不織布の下に布を置いたもの（即ち、保水層１２とその外側の吸水拡散層１３だけの場合に相当）であり、［Ｄ］の供試片は不織布の上下両方に布を設けたもの（即ち、保水層１２を中心にその肌側の吸水拡散層１５と外側の吸水拡散層１３とによるサンドイッチ構造にした場合に相当）である。この［Ｄ］の供試片が、本発明に係る尿漏れ対策生地１０の第１実施形態の中で説明したものに相当する。
【００２４】
試験は、これら［Ａ］〜［Ｄ］の各供試片に着色試験水を一定高さから１０ｃｃ滴下し、滴下から３分後に各供試片の表面（上面側）と裏面（下面側）での拡散性を観察すると共に、拡散範囲のおおよその縦横長さを測定したものである。
図７において、［Ａ］の供試片では表面及び裏面の双方で拡散性が乏しいことが明らかである。従ってこの層構造を尿漏れ対策生地として採用するには不適である。
また［Ｂ］の供試片では表面の拡散性は良好であるものの裏面での拡散性が乏しいことが明らかである。このような層構造を尿漏れ対策生地で採用したとすると、不織布（保水層１２）で吸収された水分が肌側で拡散されるだけで、外側では何ら拡散されない点で乾燥面積を十分に確保できず、また不織布内の一部で局部的に保水量が多くなっている点でその部分での乾燥性が低いということが相まって、非常に乾きにくく且つ蒸れやすいということが判る。殊に、不織布内の一部で局部的に保水量が多くなっている点は、その外側に防水生地１４があるだけとなることをも鑑みると、尿漏れを起こす原因になると予測される。このことから、やはりこの層構造を尿漏れ対策生地として採用するには不適である。
【００２５】
［Ｃ］の供試片では、上記した［Ｂ］の供試片とは反対に表面の拡散性は乏しく裏面での拡散性は良好であることが明らかである。このような層構造を尿漏れ対策生地で採用したとすると、乾燥性については［Ｂ］の供試片とそれほどかわらないものの、防水生地１４に至る前に下側の布（吸水拡散層１３）で水分の拡散ができることから尿漏れを起こすことは防止されることになる。従って、この層構造を尿漏れ対策生地として採用することは可能であると考えられる。
［Ｄ］の供試片では表面及び裏面の拡散性が共に良好であることが明らかである。従って、この層構造を尿漏れ対策生地として採用することにより、本発明に係る尿漏れ対策生地１０として上記した各種作用効果が十分、得られることが確かめられた。
【図面の簡単な説明】
【００２６】
【図１】本発明に係る尿漏れ対策生地の第１実施形態についてその層構造を判りやすく分解して説明した側断面図である。
【図２】第１実施形態の尿漏れ対策生地における吸水メカニズムを説明した側断面図である。
【図３】図２に続く吸水拡散状況を説明した側断面図である。
【図４】尿漏れ対策生地を用いて製作した下着を示す斜視図である。
【図５】本発明に係る尿漏れ対策生地の第２実施形態についてその層構造を判りやすく分解して説明した側断面図である。
【図６】試験に用いた供試片を示した説明図である。
【図７】試験結果を示した図である。
【符号の説明】
【００２７】
１  下着
１０  尿漏れ対策生地
１１  表生地
１２  保水層
１３  吸水拡散層
１４  防水生地
１５  吸水拡散層
２０  疎水性層
２１  親水性層
【図１】
2005111181.tif 000003
【図２】
2005111181.tif 000004
【図３】
2005111181.tif 000005
【図４】
2005111181.tif 000006
【図５】
2005111181.tif 000007
【図６】
2005111181.tif 000008
【図７】
2005111181.tif 000009